(57)【特許請求の範囲】
【請求項１】
複数の食品と、前記複数の食品それぞれに含まれる複数の栄養素に関する栄養情報とを対応付けて記憶する記憶手段と、
表示部と、
前記表示部に、予め設定された第１の食品群に含まれる複数の食品を示す第１画面と、前記第１の食品群とは異なる、予め設定された第２の食品群に含まれる複数の食品を示す第２画面とを表示させる表示制御手段と、
第１の日数からなる第１対象期間内にユーザが摂取する食品とその食品の摂取量に関する情報とを、前記第１画面を介して受け付ける第１受付手段と、
前記第１の日数よりも長い第２の日数からなる第２対象期間内にユーザが摂取する食品とその食品の摂取量に関する情報とを、前記第２画面を介して受け付ける第２受付手段と、
前記第１受付手段によって受け付けられた食品に対応する第１栄養情報および前記第２受付手段によって受け付けられた食品に対応する第２栄養情報を前記記憶手段から読み出し、読み出した前記第１栄養情報および前記第２栄養情報、ならびに前記第１受付手段および前記第２受付手段によって受け付けられた食品の摂取量に関する情報に基づいて、所定の期間あたりのユーザの各栄養素の摂取量を反映した栄養摂取情報を取得する栄養摂取情報取得手段とを備える、栄養管理装置。
【請求項２】
前記栄養摂取情報取得手段は、第１計算方法に従って、前記第１栄養情報および前記第１受付手段によって受け付けられた食品の摂取量に関する情報から前記所定の期間あたりのユーザの各栄養素の摂取量を反映した第１計算結果を取得し、第２計算方法に従って、前記第２栄養情報および前記第２受付手段によって受け付けられた食品の摂取量に関する情報から前記所定の期間あたりのユーザの各栄養素の摂取量を反映した第２計算結果を取得し、前記第１計算結果および前記第２計算結果に基づいて、前記栄養摂取情報を取得するように構成されている、請求項１に記載の栄養管理装置。
【請求項３】
前記所定の期間は１日である、請求項１又は２に記載の栄養管理装置。
【請求項４】
前記第１の食品群に含まれる食品は、前記第２の食品群に含まれる食品に比べて摂取頻度が高い食品である、請求項１〜３のいずれか１項に記載の栄養管理装置。
【請求項５】
前記第１の食品群は、穀類、野菜類、油脂類、砂糖類およびサプリメント類の食品群から選択される少なくとも１つの食品群であり、
前記第２の食品群は、いも類、豆・大豆類、ナッツ類、果物類、卵・乳製品類、きのこ・海草類、肉類、魚介類、菓子類、飲料類の食品群から選択される少なくとも１つの食品群である、請求項４に記載の栄養管理装置。
【請求項６】
前記表示制御手段は、前記第１対象期間に摂取する食品に関する受付処理が開始されることを知らせる表示を行った後に、前記第１画面を前記表示部に表示させ、前記第２対象期間に摂取する食品に関する受付処理が開始されることを知らせる表示を行った後に、前記第２画面を前記表示部に表示させる、請求項１〜５のいずれか１項に記載の栄養管理装置。
【請求項７】
前記表示制御手段は、前記第１食品群および前記第２食品群の少なくとも一方に含まれる複数の食品を前記表示部にグラフィック表示させ、
前記第１受付手段および前記第２受付手段は、前記表示部によりグラフィック表示された前記複数の食品から選択された食品とその食品の摂取量に関する情報とを受け付けるように構成されている、請求項１〜６のいずれか１項に記載の栄養管理装置。
【請求項８】
前記表示制御手段は、前記表示部に、前記複数の食品をグラフィック表示する食品表示領域と、前記食品表示領域から選択された食品をグラフィック表示する選択済み食品表示領域とを含む画面を表示させる、請求項７に記載の栄養管理装置。
【請求項９】
前記第１食品群および前記第２食品群の少なくとも一方は、サプリメント類であり、
前記栄養摂取情報取得手段は、前記第１受付手段および前記第２受付手段の少なくとも一方によって受け付けられたサプリメント類に含まれる食品に対応する第３栄養情報を前記記憶手段から読み出し、読み出した前記第３栄養情報と、前記第１受付手段および前記第２受付手段の少なくとも一方によって受け付けられたサプリメント類に含まれる食品の摂取量に関する情報とに基づいて、サプリメント由来の栄養摂取情報を取得するように構成されており、
前記表示制御手段は、前記表示部に、前記サプリメント由来の栄養摂取情報が識別可能な態様で、前記ユーザの栄養摂取情報をグラフィック表示させる、請求項１〜８のいずれか１項に記載の栄養管理装置。
【請求項１０】
前記第１対象期間は１日であり、前記第２対象期間は１週間である、請求項１〜９のいずれか１項に記載の栄養管理装置。
【請求項１１】
前記ユーザの栄養摂取情報に基づいて、前記ユーザの栄養摂取の目標を設定する目標設定手段をさらに備える、請求項１〜１０のいずれか１項に記載の栄養管理装置。
【請求項１２】
前記目標設定手段により設定された前記目標を、前記ユーザの栄養摂取情報と併せて出力する目標出力手段をさらに備える、請求項１１に記載の栄養管理装置。
【請求項１３】
前記目標設定手段が設定する目標と、食事に関する助言情報とを対応付けて記憶する助言情報記憶手段をさらに備え、
前記目標出力手段は、前記目標設定手段により設定された前記目標に対応する助言情報を前記助言情報記憶手段から読み出し、読み出した前記助言情報と併せて前記目標を出力するように構成されている、請求項１２に記載の栄養管理装置。
【請求項１４】
前記ユーザの栄養摂取情報として、前記ユーザの栄養素ごとの摂取量を示すグラフを出力するグラフ出力手段をさらに備える、請求項１〜１３のいずれか１項に記載の栄養管理装置。
【請求項１５】
前記グラフは、タンパク質、炭水化物、脂質の三大栄養素の摂取量を示すグラフと、ビタミン、ミネラルを含む微量栄養素の摂取量を示すグラフとを含む、請求項１４記載の栄養管理装置。
【請求項１６】
当該栄養管理装置は、ユーザの体脂肪を測定する体脂肪計、ユーザのヘモグロビン濃度を測定するヘモグロビン測定器、ユーザの血圧を測定する血圧計およびユーザの脈波を測定する脈波計に接続され、
前記体脂肪計、前記ヘモグロビン測定器、前記血圧計および前記脈波計によって得られた測定結果を、前記ユーザの栄養摂取情報とともに出力する測定結果出力手段をさらに備える、請求項１〜１５のいずれか１項に記載の栄養管理装置。
【請求項１７】
表示部を備えた栄養管理装置におけるコンピュータに、
複数の食品と、前記複数の食品それぞれに含まれる複数の栄養素に関する栄養情報とを対応付けて記憶部に記憶する記憶機能と、
前記表示部に、予め設定された第１の食品群に含まれる複数の食品を示す第１画面と、前記第１の食品群とは異なる、予め設定された第２の食品群に含まれる複数の食品を示す第２画面とを表示させる表示機能と、
第１の日数からなる第１対象期間内にユーザが摂取する食品とその食品の摂取量に関する情報とを前記第１画面を介して受け付ける第１受付機能と、
前記第１の日数よりも長い第２の日数からなる第２対象期間内にユーザが摂取する食品とその食品の摂取量に関する情報とを前記第２画面を介して受け付ける第２受付機能と、
前記第１受付機能によって受け付けられた食品に対応する第１栄養情報および前記第２受付機能によって受け付けられた食品に対応する第２栄養情報を前記記憶部から読み出し、読み出した前記第１栄養情報および前記第２栄養情報、ならびに前記第１受付機能および前記第２受付機能によって受け付けられた食品の摂取量に関する情報に基づいて、ユーザの所定の期間あたりの各栄養素の摂取量を反映した栄養摂取情報を取得する栄養摂取情報取得機能とを実現させるためのコンピュータプログラム。
【発明の詳細な説明】
【技術分野】
【０００１】
本発明は、栄養管理装置およびコンピュータプログラムに関する。
【背景技術】
【０００２】
従来、食事に関する健康管理サービスを行う栄養管理装置が知られている（たとえば、特許文献１参照）。
【０００３】
上記特許文献１には、ユーザが摂取した食品品目数に関する情報を受け付け、その受け付けた情報に基づいて、ユーザの日々の栄養バランス、および、１週間や１ヶ月などの一定期間における栄養バランスを判定する食生活支援装置が開示されている。また、この食生活支援装置は、栄養バランスを判定するために、ユーザが摂取した１日ごとの食品品目数に関する情報を受け付けるように構成されている。
【０００４】
【特許文献１】特開２０００−２０７３８６号公報
【発明の開示】
【発明が解決しようとする課題】
【０００５】
しかしながら、上記特許文献１の食生活支援装置では、ユーザが摂取した１日ごとの食品品目数に関する情報を受け付けるので、１週間や１ヶ月などの一定期間における栄養バランスを判定する場合には、ユーザは、その全期間にわたって、１日ごとに摂取した食品品目数に関する情報を入力しなければならない。このため、ユーザに負担がかかるという問題点がある。また、ユーザが１日ごとに摂取した食品品目数に関する情報を一定期間後にまとめて入力しようとすると、ユーザはその期間の全ての日ごとに、摂取した全ての食品を思い出さなければならない。この場合にも、ユーザに負担がかかるという問題点がある。
【０００６】
この発明は、上記のような事情に鑑みてなされたものであり、この発明の１つの目的は、１週間や１ヶ月などの一定期間におけるユーザの栄養バランスを判定する場合のユーザの入力負担を軽減させることが可能な栄養管理装置およびコンピュータプログラムを提供することである。
【課題を解決するための手段および発明の効果】
【０００７】
この発明の第１の局面による栄養管理装置は、複数の食品と、複数の食品それぞれに含まれる複数の栄養素に関する栄養情報とを対応付けて記憶する記憶手段と、表示部と、前記表示部に、予め設定された第１の食品群に含まれる複数の食品を示す第１画面と、前記第１の食品群とは異なる、予め設定された第２の食品群に含まれる複数の食品を示す第２画面とを表示させる表示制御手段と、第１の日数からなる第１対象期間内にユーザが摂取する食品とその食品の摂取量に関する情報とを、前記第１画面を介して受け付ける第１受付手段と、前記第１の日数よりも長い第２の日数からなる第２対象期間内にユーザが摂取する食品とその食品の摂取量に関する情報とを、前記第２画面を介して受け付ける第２受付手段と、第１受付手段によって受け付けられた食品に対応する第１栄養情報および第２受付手段によって受け付けられた食品に対応する第２栄養情報を記憶手段から読み出し、読み出した第１栄養情報および第２栄養情報、ならびに第１受付手段および第２受付手段によって受け付けられた食品の摂取量に関する情報に基づいて、所定の期間あたりのユーザの各栄養素の摂取量を反映した栄養摂取情報を取得する栄養摂取情報取得手段とを備える。
【０００８】
この発明の第１の局面による栄養管理装置では、上記のように、ユーザが第１対象期間内に摂取する食品とその食品の摂取量に関する情報とを受け付ける第１受付手段と、ユーザが第１対象期間よりも長い第２対象期間内に摂取する食品とその食品の摂取量に関する情報とを受け付ける第２受付手段とを設けることによって、ユーザが摂取する食品とその食品の摂取量に関する情報とを、第１対象期間と、第１対象期間よりも長い第２対象期間とに分けて受け付けることができる。これにより、ユーザが一定期間内に摂取する食品とその食品の摂取量に関する情報とをまとめて入力する場合にも、ユーザが上記期間内に摂取する全ての食品とその各々の食品の摂取量に関する情報とを第１対象期間ごとに入力する場合と異なり、ユーザは、第１対象期間よりも長い第２対象期間内に摂取する食品とその食品の摂取量に関する情報とを入力することができる。その結果、ユーザが１週間や１ヶ月などの一定期間において摂取する食品とその食品の摂取量に関する情報とを入力する際に、ユーザの負担を軽減することができる。
【０００９】
上記第１の局面による栄養管理装置において、好ましくは、栄養摂取情報取得手段は、第１計算方法に従って、上記第１栄養情報および第１受付手段によって受け付けられた食品の摂取量に関する情報から所定の期間あたりのユーザの各栄養素の摂取量を反映した第１計算結果を取得し、第２計算方法に従って、上記第２栄養情報および第２受付手段によって受け付けられた食品の摂取量に関する情報から所定の期間あたりのユーザの各栄養素の摂取量を反映した第２計算結果を取得し、第１計算結果および第２計算結果に基づいて、栄養摂取情報を取得するように構成されている。このように構成すれば、長さが異なる２つの期間に分けて受け付けられた食品とその食品の摂取量に関する情報とから、容易に、栄養摂取情報を取得することができる。この場合、好ましくは、所定の期間は１日である。
【００１０】
上記第１の局面による栄養管理装置において、好ましくは、第１の食品群に含まれる食品は、第２の食品群に含まれる食品に比べて摂取頻度が高い食品である。このように構成すれば、ユーザが一定期間内に摂取する食品とその食品の摂取量に関する情報とをまとめて入力する場合にも、ユーザが摂取する全ての食品とその各々の食品の摂取量に関する情報とを第１対象期間ごとに入力する場合と異なり、ユーザは、摂取頻度の高い食品を、第１対象期間内に摂取する食品として入力し、摂取頻度の低い食品を、第１対象期間よりも長い第２対象期間内に摂取する食品として入力することができる。これにより、摂取頻度の高い食品を何度も入力する手間を省くことができるため、ユーザの負担をより軽減することができる。
【００１１】
この場合、好ましくは、第１の食品群は、穀類、野菜類、油脂類、砂糖類およびサプリメント類の食品群から選択される少なくとも１つの食品群であり、第２の食品群は、いも類、豆・大豆類、ナッツ類、果物類、卵・乳製品類、きのこ・海草類、肉類、魚介類、菓子類、飲料類の食品群から選択される少なくとも１つの食品群である。このように構成すれば、ユーザは、穀類、野菜類、油脂類、砂糖類およびサプリメント類に含まれる食品を、摂取頻度が高い食品として入力し、いも類、豆・大豆類、ナッツ類、果物類、卵・乳製品類、きのこ・海草類、肉類、魚介類、菓子類、飲料類に含まれる食品を、摂取頻度が低い食品として入力することができる。
【００１２】
上記第１の局面による栄養管理装置において、好ましくは、表示部と、この表示部に、第１の食品群を示す第１画面と、第２の食品群を示す第２画面とを表示させる表示制御手段とをさらに備え、第１受付手段は、第１画面に表示された第１の食品群に含まれる食品から選択された食品とその食品の摂取量に関する情報とを受け付けるように構成されており、第２受付手段は、第２画面に表示された第２の食品群に含まれる食品から選択された食品とその食品の摂取量に関する情報とを受け付けるように構成されている。このように構成すれば、第１対象期間内に摂取する食品としてユーザに選択させる食品と、第２対象期間内に摂取する食品としてユーザに選択させる食品とが重複しないため、ユーザに対して表示する第１対象期間内の食品の選択肢および第２対象期間内の食品の選択肢のそれぞれを減らすことができる。これにより、食品を選択する負担を減少させることができるため、ユーザが一定期間内に摂取する食品をまとめて入力する場合にも、ユーザの入力作業を減らすことができる。したがって、ユーザが入力間違いをするのを抑制することもできる。
この場合、好ましくは、表示制御手段は、ユーザに第１対象期間に摂取する食品に関する受付処理が開始されることを知らせる表示を行った後に、第１画面を表示部に表示させ、ユーザに第２対象期間に摂取する食品に関する受付処理が開始されることを知らせる表示を行った後に、第２画面を表示部に表示させる。
【００１３】
上記第１の局面による栄養管理装置において、好ましくは、表示部と、第１食品群および第２食品群の少なくとも一方に含まれる複数の食品を表示部にグラフィック表示させる表示制御手段とをさらに備え、第１受付手段および第２受付手段は、表示部によりグラフィック表示された上記複数の食品から選択された食品とその食品の摂取量に関する情報とを受け付けるように構成されている。このように構成すれば、ユーザは、視覚的に識別が容易な図柄（グラフィック）により各食品が選択可能に表示された画面から食品を入力することができるので、容易に入力作業を行うことができる。その結果、ユーザが入力間違いをするのを抑制することができる。
【００１４】
この場合、好ましくは、表示制御手段は、表示部に、上記複数の食品をグラフィック表示する食品表示領域と、食品表示領域から選択された食品をグラフィック表示する選択済み食品表示領域とを含む画面を表示させるよう構成されている。このように構成すれば、ユーザは、視覚的に識別が容易な図柄（グラフィック）により各食品が選択可能に表示された画面と同一の画面において、自らが選択した食品を視覚的に識別が容易な図柄（グラフィック）により確認することができる。これにより、ユーザが入力間違いをするのをより抑制することができる。
【００１５】
上記表示部を備えた構成において、好ましくは、上記表示制御手段は、表示部に、食品群ごとに、上記複数の食品をグラフィック表示させる。このように構成すれば、ユーザは、食品群ごとに視覚的に識別が容易な図柄（グラフィック）により各食品が選択可能に表示された画面から食品を入力することができるので、ユーザはより入力作業を行い易い。その結果、ユーザが入力間違いをするのをさらに抑制することができる。
【００１６】
上記表示部を備えた構成において、好ましくは、第１食品群および第２食品群の少なくとも一方は、サプリメント類であり、栄養摂取情報取得手段は、第１受付手段および第２受付手段の少なくとも一方によって受け付けられたサプリメント類に含まれる食品に対応する第３栄養情報を記憶手段から読み出し、読み出した第３栄養情報と、第１受付手段および第２受付手段の少なくとも一方によって受け付けられたサプリメント類に含まれる食品の摂取量に関する情報とに基づいて、サプリメント由来の栄養摂取情報を取得するように構成されており、表示制御手段は、表示部に、サプリメント由来の栄養摂取情報が識別可能な態様で、ユーザの栄養摂取情報をグラフィック表示させる。このように構成すれば、ユーザは、サプリメントによって栄養が補われているのか、または、サプリメント以外の食品から摂取されているのかを視覚的に識別が容易な図柄（グラフィック）により表示された画面上で容易に認識することができる。
【００１７】
上記第１の局面による栄養管理装置において、第１対象期間を１日とし、第２対象期間を１週間としてもよい。
【００１８】
上記第１の局面による栄養管理装置において、好ましくは、ユーザの栄養摂取情報に基づいて、ユーザの栄養摂取の目標を設定する目標設定手段をさらに備える。このように構成すれば、設定する目標によって、ユーザにバランスの良い栄養摂取を促すことができる。
【００１９】
この場合、好ましくは、目標設定手段により設定された目標を、ユーザの栄養摂取情報と併せて出力する目標出力手段をさらに備える。このように構成すれば、ユーザは設定された目標と栄養摂取情報とを容易に比較しながら確認することができる。
【００２０】
上記目標出力手段を備えた構成において、好ましくは、目標設定手段が設定する目標と、食事に関する助言情報とを対応付けて記憶する助言情報記憶手段をさらに備え、目標出力手段は、目標設定手段により設定された目標に対応する助言情報を助言情報記憶手段から読み出し、読み出した助言情報と併せて目標を出力するように構成されている。このように構成すれば、ユーザは設定された目標と助言情報とを容易に比較しながら確認することができる。
【００２１】
上記第１の局面による栄養管理装置において、好ましくは、ユーザの栄養摂取情報として、ユーザの栄養素ごとの摂取量を示すグラフを出力するグラフ出力手段をさらに備える。このように構成すれば、ユーザは、栄養素ごとの摂取量を容易に知ることができる。
【００２２】
この場合、好ましくは、上記グラフは、タンパク質、炭水化物、脂質の三大栄養素の摂取量を示すグラフと、ビタミン、ミネラルを含む微量栄養素の摂取量を示すグラフとを含む。このように構成すれば、ユーザは、三大栄養素と微量栄養素のそれぞれにおける栄養素ごとの摂取量を容易に知ることができる。
また、上記第１の局面による栄養管理装置において、好ましくは、栄養管理装置は、ユーザの体脂肪を測定する体脂肪計、ユーザのヘモグロビン濃度を測定するヘモグロビン測定器、ユーザの血圧を測定する血圧計およびユーザの脈波を測定する脈波計に接続され、体脂肪計、ヘモグロビン測定器、血圧計および脈波計によって得られた測定結果を、ユーザの栄養摂取情報とともに出力する測定結果出力手段をさらに備える。
【００２３】
この発明の第２の局面によるコンピュータプログラムは、表示部を備えた栄養管理装置におけるコンピュータに、複数の食品と、複数の食品それぞれに含まれる複数の栄養素に関する栄養情報とを対応付けて記憶部に記憶する記憶機能と、前記表示部に、予め設定された第１の食品群に含まれる複数の食品を示す第１画面と、前記第１の食品群とは異なる、予め設定された第２の食品群に含まれる複数の食品を示す第２画面とを表示させる表示機能と、第１の日数からなる第１対象期間内にユーザが摂取する食品とその食品の摂取量に関する情報とを前記第１画面を介して受け付ける第１受付機能と、前記第１の日数よりも長い第２の日数からなる第２対象期間内にユーザが摂取する食品とその食品の摂取量に関する情報とを前記第２画面を介して受け付ける第２受付機能と、第１受付機能によって受け付けられた食品に対応する第１栄養情報および第２受付機能によって受け付けられた食品に対応する第２栄養情報を記憶部から読み出し、読み出した第１栄養情報および第２栄養情報、ならびに第１受付機能および第２受付機能によって受け付けられた食品の摂取量に関する情報に基づいて、ユーザの所定の期間あたりの各栄養素の摂取量を反映した栄養摂取情報を取得する栄養摂取情報取得機能とを実現させる。
【００２４】
この発明の第２の局面によるコンピュータプログラムでは、上記のように、ユーザが第１対象期間内に摂取する食品とその食品の摂取量に関する情報とを受け付ける第１受付機能と、ユーザが第１対象期間よりも長い第２対象期間内に摂取する食品とその食品の摂取量に関する情報とを受け付ける第２受付機能とを実現させることによって、ユーザが摂取する食品とその食品の摂取量に関する情報とを、第１対象期間と、第１対象期間よりも長い第２対象期間とに分けて受け付けることができる。これにより、ユーザが一定期間内に摂取する食品とその食品の摂取量に関する情報とをまとめて入力する場合にも、ユーザが上記期間内に摂取する全ての食品とその各々の食品の摂取量に関する情報とを第１対象期間ごとに入力する場合と異なり、ユーザは、第１対象期間よりも長い第２対象期間内に摂取する食品とその食品の摂取量に関する情報とを入力することができる。その結果、ユーザが１週間や１ヶ月などの一定期間において摂取する食品とその食品の摂取量に関する情報とを入力する際に、ユーザの負担を軽減することができる。
【発明を実施するための最良の形態】
【００２５】
以下、本発明の実施形態を図面に基づいて説明する。
【００２６】
まず、図１〜図５を参照して、本発明の一実施形態による栄養管理装置について説明する。
【００２７】
本発明の一実施形態による栄養管理装置１は、薬局の入口付近やサプリメントが陳列される棚の横などに配置されるように構成されている。また、図１に示すように、栄養管理装置１の近傍には、体脂肪計２０、ヘモグロビン推定器３０、血圧計４０、脈波計５０およびプリンタ６０が設置されている。
【００２８】
また、栄養管理装置１の正面の上部には、ユーザに栄養摂取に関する情報などを表示するとともに、性別、年齢、身長、および体重などの基礎情報と、食事内容などのユーザの食事に関する情報などとを入力するためのタッチパネル式ディスプレイ（以下、「タッチパネル」という）２が設けられている。また、タッチパネル２の下側には、会員登録したユーザ（以下、「カード会員」という）のＩＤ（会員番号）、基礎情報、栄養摂取情報、後述する目標に関する情報などが記録されたＩＤカード（図示せず）を読み取るＩＤカードリーダ３が設けられている。また、図２に示すように、栄養管理装置１は、ＣＰＵ４と、ＲＡＭ５と、ＲＯＭ６と、ハードディスク７とをさらに備えている。また、栄養管理装置１には、タッチパネル２に画像を出力するための画像出力インタフェース８と、タッチパネル２から入力されたユーザからの情報を受け付けるための入出力インタフェース９と、Ｉ／Ｏ（Ｉｎｐｕｔ／Ｏｕｔｐｕｔ）部１０とが設けられている。また、Ｉ／Ｏ部１０は、体脂肪計２０、ヘモグロビン推定器３０、血圧計４０、脈波計５０およびプリンタ６０に接続されている。
【００２９】
ＣＰＵ４は、ＲＯＭ６に記憶されているコンピュータプログラムおよびＲＡＭ５にロードされたコンピュータプログラムを実行するために設けられている。
【００３０】
ＲＡＭ５は、ＳＲＡＭまたはＤＲＡＭなどによって構成されている。ＲＡＭ５は、ＲＯＭ６およびハードディスク７に記録されているコンピュータプログラムの読み出しに用いられる。また、ＲＡＭ５は、これらのコンピュータプログラムを実行するときに、ＣＰＵ４の作業領域として利用される。
【００３１】
ＲＯＭ６は、マスクＲＯＭ、ＰＲＯＭ、ＥＰＲＯＭ、ＥＥＰＲＯＭなどによって構成されており、ＣＰＵ４に実行されるコンピュータプログラムおよびこれに用いるデータなどが記録されている。
【００３２】
ハードディスク７は、オペレーティングシステムおよびアプリケーションプログラム７ａなど、ＣＰＵ４に実行させるための種々のコンピュータプログラムおよびそのコンピュータプログラムの実行に用いるデータベースなどがインストールされている。具体的なデータベースとして、ハードディスク７には、栄養情報ＤＢ（データベース）７ｂ、基準摂取量データＤＢ７ｃ、入力・測定結果格納ＤＢ７ｄ、目標・課題データＤＢ７ｅおよびアドバイス・レシピＤＢ７ｆが含まれている。栄養情報ＤＢ７ｂには、図４に示すように、食品群別の所定の摂取量におけるエネルギー量やたんぱく質などの各栄養情報が格納されている。なお、図４に示す各栄養情報は、「国民栄養調査  食品群別栄養素等摂取量（全国）」に基づいた情報である。また、基準摂取量データＤＢ７ｃには、図５に示すように、食品ごとの摂取量情報が格納されている。また、入力・測定結果格納ＤＢ７ｄには、ユーザにより入力された情報（基礎情報および食事に関する情報）および体脂肪計２０やヘモグロビン推定器３０などの測定器により測定された各測定項目の測定結果の履歴が格納されている。また、目標・課題データＤＢ７ｅには、各栄養素に対応した栄養摂取に関する複数の目標データが格納されている。各目標データには、ユーザに適切な栄養摂取を促すための目標と、その目標を達成するための複数の課題が含まれている。また、アドバイス・レシピＤＢ７ｆには、目標・課題データＤＢ７ｅに含まれる各目標に対応して、ユーザに助言を行うためのアドバイスデータが格納されている。このアドバイスデータには、栄養に関するユーザへのアドバイス、目標達成のためのユーザへのアドバイス、および、目標達成のためにユーザに勧める料理のレシピなどの情報が含まれる。
【００３３】
次に、図１〜図３、図６〜図１３および図２４を参照して、本発明の一実施形態による栄養管理装置１の栄養管理処理について説明する。
【００３４】
まず、図６に示したステップＳ１において、ＣＰＵ４（図２参照）によりアプリケーションプログラム７ａの初期化が行われる。ステップＳ２において、図８に示すように、初期画面２０１がタッチパネル２に表示される。初期画面２０１には、カード会員が選択するボタン２０１ａと、会員登録していないユーザが選択するボタン２０１ｂとが表示される。ユーザは、タッチパネル２の画面に指などで直接触れることによって、ボタン２０１ａおよび２０１ｂのいずれかを選択することが可能である。また、初期画面２０１の上方側には、栄養管理処理の開始から終了までの全体の流れが示されており、現在の段階が、栄養管理処理全体の中のどの段階であるのかをユーザが容易に認識することが可能なように表示されている。たとえば、初期画面２０１では、スタート部分が目立つように青色表示される。なお、タッチパネル２に表示される他の表示画面においても同様に、現在の段階が栄養管理処理全体の中のどの段階であるのかをユーザが容易に認識することが可能なように表示される。
【００３５】
そして、ステップＳ３において、ＣＰＵ４により、ユーザが初期画面２０１でいずれのボタンを選択したかが判断され、ユーザがボタン２０１ａを選択した場合には、ステップＳ４において、ＩＤカード（図示せず）がＩＤカードリーダ３（図１参照）に挿入されたか否かが判断される。ユーザによりＩＤカードが挿入された場合には、動作はステップＳ６に移行し、ＩＤカードが挿入されていなければ、挿入されるまでこの判断が繰り返される。
【００３６】
ステップＳ３において、ユーザがボタン２０１ｂを選択した場合には、ステップＳ５において、ＣＰＵ４により、ユーザから入力される基礎情報が受け付けられるとともに、その基礎情報が入力・測定結果格納ＤＢ７ｄ（図３参照）に記憶される。具体的には、ステップＳ５において、図９に示すように、タッチパネル２に性別選択画面２０２が表示される。性別選択画面２０２には、男性ボタン２０２ａおよび女性ボタン２０２ｂが表示されるとともに、栄養管理処理を終了する際に選択する終了ボタン２０２ｃおよび前画面に戻る際に選択する戻るボタン２０２ｄが表示される。ユーザは、タッチパネル２で男性ボタン２０２ａまたは女性ボタン２０２ｂを選択することによって、性別情報を入力することが可能である。そして、ユーザにより性別情報が入力されると、図１０に示すように、年齢入力画面２０３が表示される。年齢入力画面２０３には、数字ボタン２０３ａ、決定ボタン２０３ｂ、入力情報を修正する際に押下するやり直しボタン２０３ｃおよび表示窓２０３ｄが表示される。ユーザは、数字ボタン２０３ａにより年齢を打ち込み、表示窓２０３ｄで数字を確認した後、決定ボタン２０３ｂを押下することによって、年齢情報を入力することが可能である。その後、身長および体重などのユーザの基礎情報を入力する入力画面（図示せず）が表示され、ＣＰＵ４により、ユーザがタッチパネル２から入力する基礎情報が受け付けられる。
【００３７】
次に、ステップＳ６において、ユーザの体脂肪、ヘモグロビン濃度、血圧および脈波をそれぞれ体脂肪計２０、ヘモグロビン推定器３０、血圧計４０および脈波計５０により測定し、ＣＰＵ４により、測定結果が入力・測定結果格納ＤＢ７ｄに記憶される。そして、ステップＳ７において、栄養バランスステージ処理が行われる。
【００３８】
ここで、図４〜図７、図１１および図１４〜図２５を参照して、図６に示した栄養管理処理のステップＳ７における栄養バランスステージ処理について説明する。
【００３９】
まず、図７に示したステップＳ７０１において、ＣＰＵ４により、実施中の目標があるかないかが判断される。ここで、実施中の目標とは、栄養管理装置１がユーザに提示する後述の複数の目標のうち、ユーザにより選択された目標のことである。したがって、ユーザが初めて栄養管理装置１を使用する場合には、そのユーザはまだ目標を選択していないので、実施中の目標がないと判断される。実施中の目標がないと判断された場合には、ステップＳ７０２において、平均的な１日の食事についての第１設問処理が行われる。具体的には、まず、図１４に示す第１設問開始画面２０４が表示される。この第１設問開始画面２０４には、ユーザに、これから１日の食事に関する設問が開始されることを知らせる表示がされるので、ユーザが設問に対して入力間違いするのを抑制することが可能である。
【００４０】
そして、所定時間経過後、図１５に示すように、ごはん・パン・麺類設問画面２０５が表示される。ごはん・パン・麺類設問画面２０５には、設問の内容が記載される設問表示領域２０５ａ、食品表示領域２０５ｂおよび選択済み食品表示領域２０５ｃが含まれている。食品表示領域２０５ｂには、ごはん・パン・麺類の食品名と摂取量とがグラフィック表示された複数の食品選択ボタンが表示されている。ユーザは、平均的な１日に摂取するごはん・パン・麺類の食品を、食品表示領域２０５ｂに表示された食品選択ボタンから選択する。ユーザが選択した食品選択ボタンにおける食品のアイコンは、食品表示領域２０５ｂの左側に設けられた選択済み食品表示領域２０５ｃにグラフィック表示される。これにより、ユーザは、選択した食品を視覚により容易に確認することが可能である。例えば、平均して１日にうどんを２杯摂取する場合には、ユーザは、「うどん１杯」のボタンを２回選択する。これにより、選択済み食品表示領域２０５ｃにはうどんのアイコンが２つ表示される。そして、ユーザは１日に摂取する食品に対応する食品選択ボタンを全て選択した後、次へ進むボタン２０５ｄを押下する。これによって、ＣＰＵ４により、ユーザが選択した食品選択ボタンの情報と、選択された食品選択ボタンの数の情報とが受け付けられ、それらの入力情報がＲＡＭ５に記憶される。また、ごはん・パン・麺類設問画面２０５において、ユーザにより、前へ戻るボタン２０５ｅが押下されると、前画面が表示される。
【００４１】
その後、図示しない緑黄色野菜類設問画面、淡色野菜類設問画面、油脂類設問画面および砂糖類設問画面などが順次タッチパネル２に表示されるので、ユーザは、ごはん・パン・麺類の設問画面において食品摂取情報を入力した場合と同様に、各設問画面において、１日に摂取する食品摂取情報を入力する。その後、第１設問処理の最終設問として、図１６に示すように、タッチパネル２にサプリメント設問画面２０６が表示される。
【００４２】
サプリメント設問画面２０６には、設問表示領域２０６ａおよびサプリメント表示領域２０６ｂが含まれている。サプリメント表示領域２０６ｂには、ユーザが、ビタミン類およびミネラル類の複数種類のサプリメントを選択することが可能なようにサプリメント選択ボタンが表示される。サプリメント設問画面２０６では、ユーザにより選択されたサプリメント選択ボタンは、選択されていないサプリメント選択ボタンと識別可能なように異なる色に表示される。これにより、ユーザは、選択済みのサプリメントを確認することが可能である。
【００４３】
そして、ステップＳ７０３において、平均的な１週間の食事についての第２設問処理が行われる。具体的には、上記した１日の食事についての第１設問処理と同様に、まず、第２設問開始画面２０７（図１７参照）が表示される。この第２設問開始画面２０７には、ユーザにこれから１週間の食事に関する設問が開始されることを知らせる表示がされるので、ユーザが設問に対して入力間違いするのを抑制することが可能である。その後、ごはん・パン・麺類設問画面２０５と同様の態様で、いも類設問画面２０８（図１８参照）、果物類設問画面２０９（図１９参照）および肉類設問画面（図示せず）などが順次タッチパネル２に表示される。ユーザは、各設問画面において、１週間に摂取する食品摂取情報を入力し、ＣＰＵ４が、その入力情報を受け付ける。なお、本実施形態による栄養管理装置１は、複数の食品を図２０に示す１８種類の食品群に分類し、その分類した食品群ごとにユーザへの設問画面を表示する。また、図２０において、左側の欄にＤマークが付された食品群は、１日の食事についての第１設問処理において設問される食品群であり、左側の欄にＷマークが付された食品群は、１週間の食事についての第２設問処理において設問される食品群である。また、本実施形態では、比較的摂取頻度の高い食品については、１日の食事について設問される食品群に分類するとともに、比較的摂取頻度の低い食品については、１週間の食事について設問される食品群に分類している。
【００４４】
次に、ステップＳ７０４では、ＣＰＵ４により、上記した第１設問処理および第２設問処理においてユーザにより入力された食品に対応する食品群がハードディスク７に記憶される基準摂取量データＤＢ７ｃ（図５参照）から読み出され、その食品群に対応する栄養情報がハードディスク７に記憶される栄養情報ＤＢ７ｂ（図４参照）から読み出される。この際、入力された食品に対応する基準摂取量も基準摂取量データＤＢ７ｃ（図５参照）から読み出される。たとえば、ごはん・パン・麺類についての設問に対して「ご飯小盛り」（図１５参照）がユーザにより入力された場合には、ＣＰＵ４により、基準摂取量データＤＢ７ｃ（図５参照）から食品群として「穀類」が読み出され、栄養情報ＤＢ７ｂ（図４参照）から穀類に対応する摂取量、エネルギーおよびたんぱく質などの栄養情報が読み出される。この際、基準摂取量データＤＢ７ｃ（図５参照）から穀類のうちの「ご飯小盛り」に対応する基準摂取量（１００）も読み出される。また、「ご飯小盛り」が２つ入力されている場合には、基準摂取量データＤＢ７ｃから「ご飯小盛り」に対応する基準摂取量の２倍の基準摂取量（２００）が読み出される。
【００４５】
そして、ステップＳ７０５において、ＣＰＵ４により、読み出した栄養情報および基準摂取量に基づいて、ユーザに入力された各食品について各栄養素の摂取量が取得される。各栄養素の摂取量の具体的な算出式を以下の式（１）に示す。
【００４６】
Ｘ＝Ｙ＋Ｚ・・・・・（１）
上記式（１）において、Ｘは、１日あたりの各栄養素の摂取量（ｇ／ｍｇ／μｇ）、Ｙは、第１設問処理（平均的な１日の食事についての設問処理）において入力された食品についての１日あたりの各栄養素の摂取量（ｇ／ｍｇ／μｇ）、Ｚは、第２設問処理（平均的な１週間の食事についての設問処理）において入力された食品についての１日あたりの各栄養素の摂取量（ｇ／ｍｇ／μｇ）をそれぞれ表す。ここで、ＹおよびＺの算出式をそれぞれ以下の式（２）および（３）に示す。
【００４７】
Ｙ＝Ｎ×Ｃ１／Ｇ・・・・・（２）
上記式（２）において、Ｎは、図４に示す各食品群についての所定の摂取量Ｇにおける各栄養素の摂取量（ｇ／ｍｇ／μｇ）、Ｃ１は、図５に示す基準摂取量に基づいたユーザの１日あたりの摂取量（ｇ）、Ｇは、図４に示す各食品群についての所定の摂取量（ｇ）をそれぞれ表す。
【００４８】
Ｚ＝Ｎ×Ｃ２／（Ｇ×７）・・・・・（３）
上記式（３）において、Ｎは、図４に示す各食品群についての所定の摂取量Ｇにおける各栄養素の摂取量（ｇ／ｍｇ／μｇ）、Ｃ２は、図５に示す基準摂取量に基づいたユーザの１週間あたりの摂取量（ｇ）、Ｇは、図４に示す各食品群についての所定の摂取量（ｇ）をそれぞれ表す。
【００４９】
たとえば、ごはん・パン・麺類についての設問において、「ご飯小盛り」がユーザにより入力された場合には、以下のように、「ご飯小盛り」によって摂取されるたんぱく質の摂取量が算出される。
【００５０】
Ｙ＝Ｎ×Ｃ１／Ｇ・・・・・（２）
Ｙ＝１５．５×１００／４４９．５＝３．４４８（ｇ）
そして、ステップＳ７０６において、ＣＰＵ４により、算出された各栄養素の摂取量がＲＡＭ５に記憶される。その後、ステップＳ７０７において、図２１に示すように、目標選択画面２１０がタッチパネル２に表示される。具体的には、ＣＰＵ４は、上記したステップＳ７０５において算出された微量栄養素（ビタミンＢ１やマグネシウム等）の摂取量のうち最も少ない５つの栄養素に対応する目標データを、目標・課題データＤＢ７ｅから読み出し、読み出した５つの目標を目標選択画面２１０にユーザが選択可能なように表示する。また、ＣＰＵ４は、上記ステップＳ７０５において算出された三大栄養素のたんぱく質、炭水化物および脂質の摂取量のうち最も少ない栄養素に対応する目標データを、目標・課題データＤＢ７ｅから読み出し、読み出した１つの目標を目標選択画面２１０にユーザが選択可能なように表示する。また、目標選択画面２１０に表示された各目標選択ボタンには、目標の達成状況を示す攻略度ゲージ２１０ａが表示される。攻略度ゲージ２１０ａは、各目標に設定される後述する４つの課題のうち、いくつ課題が達成されたかを示すように構成されている。たとえば、４つの課題のうちの１つが達成された場合には、攻略度２５％と表示される。
【００５１】
次に、ステップＳ７０８において、ＣＰＵ４により、ユーザが図２１に示す６つの目標のうちのいずれか１つを選択したか否かが判断される。この判断は、ユーザがいずれか１つの目標を選択するまで繰り返される。ユーザにより目標が選択された場合には、ステップＳ７０９において、ＣＰＵ４により、選択された目標に関する情報がＲＡＭ５に記憶される。
【００５２】
そして、ステップＳ７１０において、図２２に示すように、ユーザが選択した目標に対応する課題選択画面２１１がタッチパネル２に表示される。具体的には、ＣＰＵ４は、ユーザにより選択された目標に対応する課題データを、目標・課題データＤＢ７ｅから読み出し、読み出した４つの課題を課題選択画面２１１にユーザが選択可能なように表示する。４つの課題は、ユーザが各課題を達成することによって目標の栄養素をバランスよく摂取することが可能なように設けられている。また、各課題選択ボタンには、各課題を達成するためのおすすめの料理名が記載されている。また、各課題選択ボタンには、記載された料理名の詳細も表示される。たとえば、図２２に示す課題Ａの課題選択ボタン２１１ａには、料理名として焼き鳥が示されるとともに、グラフィック表示領域２１１ｂには、焼き鳥に対応する写真などがグラフィック表示される。また、ユーザによりレシピを見るボタン２１１ｃが押下されると、図２３に示すように、レシピ表示画面２１２が課題選択画面２１１の上に重ねて表示される。このレシピ表示画面２１２には、対応する料理のレシピが記載されるレシピ表示領域２１２ａと、対応する料理の写真などを表示するグラフィック表示領域２１２ｂが含まれている。また、ユーザが課題選択画面２１１の別の目標を選び直すボタン２１１ｄを押下した場合には、図２１に示す目標選択画面２１０が表示される。
【００５３】
ステップＳ７１１において、ＣＰＵ４により、ユーザが４つの課題のうちのいずれか１つを選択したか否かが判断され、ユーザが選択していない場合には、この判断が繰り返される。ユーザがいずれか１つの課題を選択した場合には、ステップＳ７１２において、ＣＰＵ４により、選択された課題に関する情報がＲＡＭ５に記憶される。そして、ステップＳ７１３において、ＣＰＵ４により、目標達成アドバイスが作成される。具体的には、ＣＰＵ４が、ユーザにより選択された目標および課題に対応するアドバイスデータおよびレシピデータを、ハードディスク７に記憶されたアドバイス・レシピＤＢ７ｆから読み出す。そして、ステップＳ７１４において、ＣＰＵ４により、図２４に示すように、総合評価アドバイス画面２１３がタッチパネル２に表示され、栄養バランスステージ処理が終了される。総合評価アドバイス画面２１３には、上記した結果用紙３００（図１１参照）に表示される項目と同様の項目が表示される。具体的には、総合評価アドバイス画面２１３は、総合コメント表示領域２１３ｃ、測定結果表示領域２１３ｄ、食品摂取傾向表示領域２１３ｅおよび三大栄養素摂取バランス表示領域２１３ｆを含んでいる。各領域には、結果用紙３００に表示される各項目に対応する内容が表示される。
【００５４】
また、前回使用以前にユーザが目標を設定している場合には、ステップＳ７０１において、実施中の目標があると判断され、ステップＳ７１５において、ＣＰＵ４により、図２５に示す目標達成確認画面２１４がタッチパネル２に表示される。目標達成確認画面２１４には、ユーザが自己判断により、「できた」、「大体できた」、「あまりできなかった」、および、「できなかった」の４つの達成度を入力可能なように達成度ボタン２１４ａが表示される。そして、ステップＳ７１６において、ＣＰＵ４により、ユーザが４つの達成度ボタン２１４ａのうちのいずれか１つのボタンを選択したか否かが判断され、ユーザが選択するまでこの判断が繰り返される。ユーザがいずれか１つの達成度ボタン２１４ａを選択した場合には、ステップＳ７１７において、ユーザが選択した達成度の情報をＲＡＭ５に記憶し、ステップＳ７１８において、ＣＰＵ４により、現在の目標に設定された４つの課題全てが終了したか否かが判断される。すべての課題が終了していない場合には、ステップＳ７１０に移行し、図２２に示す課題選択画面２１１が表示される。この際、課題選択画面２１１には、まだ取り組んでいない課題選択ボタンだけが選択可能に表示される。たとえば、ユーザが以前に課題Ａを選択して終了した場合には、ユーザは課題選択画面２１１から再度課題Ａを選択することはできず、他の３つの課題から新たな課題を選択しなければならない。
【００５５】
ステップＳ７１８において、全ての課題が終了したと判断した場合には、ステップＳ７１９において、ＣＰＵ４により、ユーザが現在取り組んでいる目標が終了したことがＲＡＭ５に記憶される。その後、ステップＳ７２０において、ＣＰＵ４により、当初目標選択画面２１０（図２１参照）に表示された６つ全ての目標が終了したか否かが判断され、終了していない場合には、ステップＳ７０７に移行し、目標選択画面２１０が表示される。この際、課題選択画面２１１と同様に、目標選択画面２１０には、まだ取り組んでいない目標選択ボタンだけが選択可能に表示される。一方、全ての目標が終了した場合には、ステップＳ７２１において、栄養バランスステージが終了したことをユーザに通知する完了メッセージ画面（図示せず）がタッチパネル２に表示され、栄養バランスステージ処理が終了される。
【００５６】
上記したステップＳ７の栄養バランスステージ処理を行った後、図６に示すステップＳ８において、ＣＰＵ４により、栄養バランスステージ処理の最終ステップで表示される総合評価アドバイス画面２１３（図２４参照）の印刷ボタン２１３ａが押下されたか否かが判断される。押下された場合には、プリンタ６０が結果用紙３００（図１１および図１２参照）を出力するように、ステップＳ９において、ＣＰＵ４により栄養管理処理の結果データがプリンタ６０に送信される。
【００５７】
結果用紙３００の表面３０１には、図１１に示すように、総合コメント表示領域３０１ａ、測定結果表示領域３０１ｂ、測定グラフ表示領域３０１ｃ、食品摂取傾向表示領域３０１ｄおよび三大栄養素摂取バランス表示領域３０１ｅが含まれている。また、総合コメント表示領域３０１ａには、ユーザの基礎情報、測定結果および食事に関する情報などを総合的に評価したコメントが記載される。測定結果表示領域３０１ｂには、ステップＳ６において測定された各項目の測定結果が表示され、測定グラフ表示領域３０１ｃには、体脂肪や血圧などの測定結果を時系列で比較可能な折れ線グラフが表示される。なお、図１１に示した結果用紙３００は、栄養管理装置１を初めて使用したユーザに対して出力された結果であるため、各折れ線グラフには１回だけの測定値しか表示されていない。また、食品摂取傾向表示領域３０１ｄには、ユーザの各栄養素の摂取傾向を示すグラフが表示される。この摂取傾向は、ステップＳ７の栄養バランスステージ処理においてユーザが入力した食事に関する情報に基づいて算出されている。なお、食品摂取傾向表示領域３０１ｄでは、サプリメントによって摂取された栄養素の割合が、色などを異ならせることによって、サプリメント以外の食品によって摂取された割合と識別可能な態様で表示される。たとえば、摂取傾向表示領域３０１ｄのビタミンEの領域３０１ｆ部分は、サプリメントによって摂取された栄養摂取であることを示している。また、三大栄養素摂取バランス表示領域３０１ｅには、たんぱく質、脂質、炭水化物の三大栄養素の摂取バランスを示すグラフが表示される。また、摂取傾向表示領域３０１ｄの各栄養素の摂取傾向を示すグラフおよび三大栄養素摂取バランス表示領域３０１ｅの三大栄養素の摂取バランスを示すグラフは、それぞれ、各値がグラフの外縁よりも外側にはみ出さないように描かれる。
【００５８】
また、結果用紙３００の表面３０１には、各結果用紙３００に固有のバーコード３０１ｇが付されている。薬剤師などのアドバイザが、このバーコード３０１ｇをアドバイザ側装置４００（図１３参照）のバーコードリーダ４０１で読み取ると、アドバイザ側装置４００の表示部４０２には、ユーザの基礎情報や栄養摂取傾向などが表示される。これにより、アドバイザは、アドバイザ側装置４００の表示部４０２に表示された画面（図示せず）を見ながら、ユーザに対してカウンセリングを行うことが可能である。
【００５９】
また、図１２に示すように、結果用紙３００の裏面３０２には、栄養バランスステージ処理においてユーザが選択した目標と課題とを表示する目標・課題表示領域３０２ａ、アドバイス表示領域３０２ｂおよびおすすめ保健機能食品表示領域３０２ｃが含まれている。アドバイス表示領域３０２ｂには、目標を達成するための目標達成アドバイス、および、目標達成のために勧める料理のレシピが表示される。また、おすすめ保健機能食品表示領域３０２ｃには、ユーザの栄養摂取傾向に基づいて勧める保健機能食品についての記載が表示される。
【００６０】
総合評価アドバイス画面２１３（図２４参照）において、印刷ボタン２１３ａが押下されない場合には、ステップＳ１０において、ＣＰＵ４により、終了ボタン２１３ｂが押下されたか否かが判断される。終了ボタン２１３ｂが押下された場合には、動作がステップＳ１１に移行され、押下されない場合には、ステップＳ８において再度印刷ボタン２１３ａが押下されたか否かが判断される。そして、ステップＳ１１において、ユーザから栄養管理装置１のシャットダウン指示があったか否かが判断され、シャットダウン指示があった場合には、ステップＳ１２において、ＣＰＵ４により、栄養管理装置１のシャットダウンが実行され、その後、動作が終了される。シャットダウン指示がない場合には、ステップＳ２に移行され、タッチパネル２に初期画面２０１（図８参照）が表示される。
【００６１】
本実施形態では、上記のように、ＣＰＵ４を、ユーザが平均的な１日に摂取する摂取頻度の高い食品の摂取量情報を受け付けるとともに、ユーザが平均的な１週間に摂取する摂取頻度の低い食品の摂取量情報を受け付けるように構成している。そのため、一定期間内にユーザが摂取する全ての食品の摂取量情報を１日ごとに入力する場合と異なり、ユーザは、平均的な１日に摂取する摂取頻度の高い食品の摂取量情報を入力し、平均的な１週間に摂取する摂取頻度の低い食品の摂取量情報を入力するだけでよい。これにより、ユーザの負担を軽減することができる。
【００６２】
また、本実施形態では、複数の食品の情報を画面にグラフィック表示するタッチパネル２を設け、ＣＰＵ４を、ユーザがグラフィック表示されたタッチパネル２の画面（図１５，１６等参照）において選択した食品の摂取量を受け付けるように構成している。そのため、ユーザは、視覚的に識別が容易な図柄（グラフィック）により各食品が選択可能に表示されたタッチパネル２の画面から、食品の摂取量を入力することができるので、容易に入力作業を行うことができる。その結果、ユーザが入力間違いをするのを抑制することができる。
【００６３】
また、本実施形態では、タッチパネル２のグラフィック表示された画面に、ユーザが食品を選択するために複数の食品をグラフィック表示する食品表示領域２０５ｂと、ユーザが食品表示領域から選択した食品をグラフィック表示する選択済み食品表示領域２０５ｃとを設けている。そのため、ユーザは、視覚的に識別が容易な図柄（グラフィック）により各食品が選択可能に表示された画面と同一の画面において、自らが選択した食品を視覚的に識別が容易な図柄（グラフィック）により確認することができる。これにより、ユーザが入力間違いをするのを抑制することができる。
【００６４】
また、本実施形態では、ＣＰＵ４を、目標に対応するアドバイスデータをアドバイス・レシピＤＢ７ｆから読み出し、目標達成アドバイスが目標と併せて結果用紙３００に表示されるようにプリンタ６０に結果データを出力するように構成することによって、ユーザは目標と目標達成アドバイスとを容易に比較しながら確認することができる。
【００６５】
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更が含まれる。
【００６６】
たとえば、上記実施形態では、本発明の第１対象期間を１日とし、本発明の第２対象期間を１週間とする例を示したが、本発明はこれに限らず、第２対象期間が第１対象期間よりも長ければ、それぞれ他の期間であってもよい。
【００６７】
また、上記実施形態では、総合評価アドバイス画面が、ユーザが選択した目標と課題とを表示する目標・課題表示領域、および、目標を達成するための目標達成アドバイスを表示するアドバイス表示領域を含まない構成を示したが、本発明はこれに限らず、総合評価アドバイス画面が、目標・課題表示領域およびアドバイス表示領域を含むようにしてもよい。このように構成すれば、ユーザは、目標と栄養摂取傾向とをタッチパネルの同一画面上で確認することができるとともに、目標と目標達成アドバイスとをタッチパネルの同一画面上で確認することができる。
【００６８】
また、上記実施形態では、図２０に示した食品群ごとに、ユーザに食品摂取情報を入力させる設問を行う構成を示したが、本発明はこれに限らず、図２０とは異なる食品群ごとに、ユーザに食品摂取情報を入力させる設問を行うようにしてもよい。
【００６９】
また、上記実施形態では、図１１の各栄養素の摂取傾向を示すグラフおよび三大栄養素の摂取バランスを示すグラフと、図２４の各栄養素の摂取傾向を示すグラフおよび三大栄養素の摂取バランスを示すグラフとにおいて、各値がグラフの外縁よりも外側にはみ出さないようにグラフを描く構成を示したが、本発明はこれに限らず、各値がグラフの外縁よりも外側にはみ出るようにグラフを描いてもよい。このように構成すれば、グラフの外縁よりも外側にはみ出た分が過剰摂取であることを、ユーザに知らせることができる。
【００７０】
また、上記実施形態では、サプリメント設問画面に選択済みサプリメント表示領域を設けない構成を示したが、本発明はこれに限らず、他の食品群についての設問画面と同様に、サプリメント設問画面に選択済みサプリメント表示領域を設けてもよい。
【００７１】
また、上記実施形態では、栄養管理装置を、薬局の入口付近やサプリメントが陳列される棚の横などに配置される据え置き型の装置とする例を示したが、本発明はこれに限らず、ユーザが持ち運びすることが可能な携帯型の装置としてもよい。
【００７２】
また、上記実施形態では、例えば、図１５のごはん・パン・麺類設問画面２０５においてロールパン２個を入力する場合には、「ロールパン１個」の選択ボタンを２回押す構成が示されているが、本発明はこれに限らず、ごはん・パン・麺類設問画面に「ロールパン２個」の選択ボタンを設け、「ロールパン２個」の選択ボタンを1回押すだけで、ロールパン２個を入力できるように構成してもよい。
【００７３】
また、上記実施形態では、上述の第１設問処理（平均的な１日の食事についての設問処理）において入力された食品についての1日あたりの各栄養素の摂取量を、上述の式（２）を用いて算出しているが、本発明はこれに限らず、第１設問処理において設問画面に表示される食品と、その各々の食品についての各栄養素の摂取量が食品の摂取量に応じてそれぞれ対応付けられたテーブルをハードディスクに記憶させておき、そのテーブルを利用することにより、ユーザの平均的な１日あたりの各栄養素の摂取量を取得してもよい。
【００７４】
また、上記実施形態では、例えば、上記第１設問処理で「ご飯普通盛り」が入力された場合であっても、「うどん」が入力された場合であっても、「ご飯普通盛り」と「うどん」に対応する食品群として「穀類」がハードディスク７に記憶される基準摂取量データＤＢ７ｃ（図５参照）から読み出され、その「穀類」に対応する栄養情報がハードディスク７に記憶される栄養情報ＤＢ７ｂ（図４参照）から読み出されているが、本発明はこれに限らず、「ご飯普通盛り」や「うどん」のそれぞれに対応する栄養情報をハードディスクに記憶しておき、上記第１設問処理で「ご飯普通盛り」が入力された場合には、その「ご飯普通盛り」に対応する栄養情報をハードディスクから読み出してもよい。
【００７５】
また、上記実施形態では、上記第１設問処理および第２設問処理において入力された情報に基づいて、ユーザの１日あたりの栄養摂取情報を取得しているが、本発明はこれに限らず、ユーザの1週間あたりの栄養摂取情報を取得してもよい。
【００７６】
また、上記実施形態では、上記第１設問処理における設問画面で表示される食品と、上記第２設問処理における設問画面で表示される食品とが重複しない構成になっているが、本発明はこれに限らず、第１設問処理における設問画面で表示される食品が第２設問処理における設問画面で重複して表示されてもよいし、第２設問処理における設問画面で表示される食品が第１設問処理における設問画面で重複して表示されてもよい。
【００７７】
また、上記実施形態では、第１設問処理および第２設問処理における設問画面において、「ごはん普通盛り１杯」、「バナナ１本」等の情報を有するアイコンを選択することにより、食品の摂取量に関する情報を入力しているが、本発明はこれに限らず、「ごはん盛り１５０ｇ」、「バナナ１００ｇ」等の情報を有するアイコンを選択することにより、食品の摂取量に関する情報を入力してもよい。また、「ごはん盛り」、「バナナ」等の情報のみを有するアイコンを画面に表示し、そのアイコンが選択された数に基づいて、食品の摂取量に関する情報を入力する構成であってもよい。
【図面の簡単な説明】
【００７８】
【図１】本発明の一実施形態による栄養管理装置の全体構成を示した斜視図である。
【図２】図１に示した一実施形態による栄養管理装置の各部の構成を説明するためのブロック図である。
【図３】図１に示した一実施形態による栄養管理装置の各部の構成を説明するためのブロック図である。
【図４】図１に示した一実施形態による栄養管理装置の栄養情報ＤＢを説明するための図である。
【図５】図１に示した一実施形態による栄養管理装置の基準摂取量データＤＢを説明するための図である。
【図６】図１に示した一実施形態による栄養管理装置の栄養管理処理を説明するためのフローチャートである。
【図７】図６に示した栄養管理処理のステップＳ７における栄養バランスステージ処理を説明するためのフローチャートである。
【図８】図１に示した一実施形態による栄養管理装置の初期画面を示した図である。
【図９】図１に示した一実施形態による栄養管理装置の性別選択画面を示した図である。
【図１０】図１に示した一実施形態による栄養管理装置の年齢入力画面を示した図である。
【図１１】図１に示した一実施形態による栄養管理装置の結果用紙を示した図である。
【図１２】図１に示した一実施形態による栄養管理装置の結果用紙を示した図である。
【図１３】図１に示した一実施形態による栄養管理装置のアドバイザ側装置を示した図である。
【図１４】図１に示した一実施形態による栄養管理装置の第１設問開始画面を示した図である。
【図１５】図１に示した一実施形態による栄養管理装置の詳細設問の画面を示した図である。
【図１６】図１に示した一実施形態による栄養管理装置の詳細設問の画面を示した図である。
【図１７】図１に示した一実施形態による栄養管理装置の第２設問開始画面を示した図である。
【図１８】図１に示した一実施形態による栄養管理装置の詳細設問の画面を示した図である。
【図１９】図１に示した一実施形態による栄養管理装置の詳細設問の画面を示した図である。
【図２０】図１に示した一実施形態による栄養管理装置の食品分類を説明するための図である。
【図２１】図１に示した一実施形態による栄養管理装置の目標選択画面を示した図である。
【図２２】図１に示した一実施形態による栄養管理装置の課題選択画面を示した図である。
【図２３】図１に示した一実施形態による栄養管理装置のレシピ表示画面を示した図である。
【図２４】図１に示した一実施形態による栄養管理装置の総合評価アドバイス画面を示した図である。
【図２５】図１に示した一実施形態による栄養管理装置の総合評価アドバイス画面を示した図である。
【符号の説明】
【００７９】
１  栄養管理装置
２  タッチパネル
４  ＣＰＵ
７  ハードディスク
７ａ  アプリケーションプログラム
２０５ｂ  食品表示領域
２０５ｃ  選択済み食品表示領域
【図１】
0005166831.tif 000002
【図２】
0005166831.tif 000003
【図３】
0005166831.tif 000004
【図４】
0005166831.tif 000005
【図５】
0005166831.tif 000006
【図６】
0005166831.tif 000007
【図７】
0005166831.tif 000008
【図８】
0005166831.tif 000009
【図９】
0005166831.tif 000010
【図１０】
0005166831.tif 000011
【図１１】
0005166831.tif 000012
【図１２】
0005166831.tif 000013
【図１３】
0005166831.tif 000014
【図１４】
0005166831.tif 000015
【図１５】
0005166831.tif 000016
【図１６】
0005166831.tif 000017
【図１７】
0005166831.tif 000018
【図１８】
0005166831.tif 000019
【図１９】
0005166831.tif 000020
【図２０】
0005166831.tif 000021
【図２１】
0005166831.tif 000022
【図２２】
0005166831.tif 000023
【図２３】
0005166831.tif 000024
【図２４】
0005166831.tif 000025
【図２５】
0005166831.tif 000026